(57)【特許請求の範囲】
【請求項１】
移動パネルの下端部に設けた転動輪で床面上を走行するとともに、移動パネルの上端部に設けたガイドローラを天井に設けたガイドレールに沿って移動案内し、複数の移動パネルをガイドレールに沿ってＬ字状あるいはＴ字状に整列させるとともに、下部に設けたリフト機構によって転動輪を浮上させて移動規制状態としてなる移動式間仕切装置であって、コーナー部を越えて先行して整列させる移動パネルの後端に予め化粧ポストを取付けてあり、該移動パネルを整列させた際に前記化粧ポストがガイドレールのコーナー部に位置し、該化粧ポストは、断面略四角形の長尺部材であり、一面は前記移動パネルの後端に取付ける取付部となっており、他の３面のうち一側面には後続の移動パネルの前端を凹凸係合する接合部を設け、他の二側面は平面となっており、前記接合部には、幅方向中央部で上下全長にわたり縦溝を形成し、その両側に当接縁を形成し、更に当該化粧ポストの上下端から出没する係合ピンを設けるとともに、該係合ピンの操作部を前記縦溝の底面部に設けたことを特徴とする移動式間仕切装置。
【請求項２】
前記上下の係合ピンは、前記化粧ポストの中心部に設け、当該化粧ポストをガイドレールのコーナー部に位置させた際に、下方の係合ピンを床面の係合穴に嵌挿し、上方の係合ピンをガイドレールのコーナー部に係合してなる請求項１記載の移動式間仕切装置。
【請求項３】
前記ガイドレールは、上板の両側縁部に下設した両垂下板を下設し、該両垂下板の下端に内向きに対向状態で一対の摺動片を全長にわたって形成した長尺部材であり、コーナー部は二つの直線状部材を４５°に切断して突き合わせて形成し、前記上方の係合ピンを両摺動片間の溝部に係合してなる請求項２記載の移動式間仕切装置。
【請求項４】
複数の移動パネルを整列させて大部屋を小部屋に区画するための移動式間仕切装置に用いる移動パネルであって、特定の移動パネルの一側端に、他の移動パネルの側端を接合する接合部を設けた化粧ポストを取付けてあり、該化粧ポストは、断面略四角形の長尺部材であり、一面は特定の移動パネルの一側端に取付ける取付部となっており、他の３面のうち一側面には他の移動パネルの側端を凹凸係合する接合部を設け、他の二側面は平面となっており、前記接合部には、幅方向中央部で上下全長にわたり縦溝を形成し、その両側に当接縁を形成し、更に当該化粧ポストの上下端から出没する係合ピンを設けるとともに、該係合ピンの操作部を前記縦溝の底面部に設けたことを特徴とする移動パネル。
【発明の詳細な説明】
【技術分野】
【０００１】
本発明は、移動式間仕切装置に係わり、更に詳しくは大部屋を小部屋に区画するために天井から床面にわたる全面を閉止可能又は開放可能となした移動式間仕切装置に関するものである。
【背景技術】
【０００２】
従来から、大部屋内の天井に設けたレールに沿って、複数の移動パネルをそのパネル表面に平行な方向（面内方向）へ移動可能とするとともに、全ての移動パネルをレールの一側終端部で９０度回転させて格納することを可能とした移動式間仕切装置は各種提供されている。この種の移動式間仕切装置は、レールの一側終端部で、移動パネルをパネル表面がレールと直交するように９０度回転させて、その表面同士を重ねてコンパクトに格納し、大部屋の空間を開放した態様と、移動パネルを９０度回転させてレールの一側終端部からレールに沿って引き出し、各移動パネルを連設し、大部屋を小部屋に区画する態様とを実現するものである。そして、移動パネルを所定位置に設置したときに移動不能とするとともに、床面と天井との間の隙間を塞ぐことができるようになっている。また、区画形成する間取りによっては、複数の移動パネルをＬ字状あるいはＴ字状に連設する場合もあり、レールの屈折部においても移動パネルを回転、若しくは方向転換する必要がある。
【０００３】
この種の移動式間仕切装置は、特許文献１に記載されるように、移動パネルの下端部に設けた複数の転動輪で床面上を走行するとともに、移動パネルの上端部の中央部に設けた１個のガイドローラを天井に設けたガイドレールに沿って移動案内し、複数の移動パネルをガイドレールに沿って直線状に整列させるとともに、リフト機構によって転動輪を浮上させて移動規制状態としてなる構造である。通常、ガイドレールに沿って移動パネルを移動させる際の走行安定性を持たせるために、ガイドレールの両側縁に形成した垂下板を移動パネルの上枠に設けた凹溝部内にスライド可能に遊嵌している。そして、前記移動パネルを回転させる方向転換部では、ガイドレールの垂下板を切欠して移動パネルの上端とガイドレールとの間に隙間を設けたのである。そのため、大部屋を仕切る際に、ガイドレールの方向転換部に沿って配置する移動パネルとガイドレールとの間に隙間が生じるので、この隙間を塞ぐために該移動パネルの上枠の凹溝部内に、閉塞部材を上方へ弾性付勢して設けたのである。また、移動パネルをＬ字状あるいはＴ字状に連設する場合において、前述の案内構造ではガイドレールの屈折部でも同様に垂下板を切欠して隙間を設けなければ、移動パネルを方向転換することができない。そのような場所でも移動パネルとガイドレールとの間に隙間が生じるので、この隙間を塞ぐ何らかの手段を講じなければならない。
【０００４】
しかし、特許文献１に記載の移動式間仕切装置には、複数の移動パネルをＬ字状あるいはＴ字状に連設する場合については一切開示されてない。ところで、複数の移動パネルを直角に整列した場合、コーナー部の空間を埋めるためと移動パネルの端部を隠蔽するために、化粧ポストを配置する必要があるが、通常このような化粧ポストは、ガイドレールの屈折部を越えて直線状態に整列した移動パネル群の移動方向とは反対側の後部に接合する位置、即ちガイドレールの屈折部に、別施工で床面と天井間に立設するか、あるいは各移動パネルをガイドレールのパターンに沿って整列させた後、コーナー部に面する一対の移動パネルの端部間に取付けられる。逆に、移動パネルを一箇所にまとめて格納する際には、化粧ポストを外さなければなない。何れにしても化粧ポストの施工を伴うので、簡単に大部屋を小部屋に区画したり、開放したり、間取りを変更することが困難である。
【先行技術文献】
【特許文献】
【０００５】
【特許文献１】特開２００８−２９７８３０号公報
【発明の概要】
【発明が解決しようとする課題】
【０００６】
そこで、本発明が前述の状況に鑑み、解決しようとするところは、移動パネルの下端部に設けた転動輪で床面上を走行するとともに、移動パネルの上端部に設けたガイドローラを天井に設けたガイドレールに沿って移動案内し、複数の移動パネルをガイドレールに沿ってＬ字状あるいはＴ字状に整列させるとともに、下部に設けたリフト機構によって転動輪を浮上させて移動規制状態としてなる移動式間仕切装置において、コーナー部の処理のための追加施工を一切必要とせず、簡単に大部屋を小部屋に区画したり、開放したり、間取りを変更することが可能な移動式間仕切装置を提供するものである。
【課題を解決するための手段】
【０００７】
本発明は、前述の課題解決のために、移動パネルの下端部に設けた転動輪で床面上を走行するとともに、移動パネルの上端部に設けたガイドローラを天井に設けたガイドレールに沿って移動案内し、複数の移動パネルをガイドレールに沿ってＬ字状あるいはＴ字状に整列させるとともに、下部に設けたリフト機構によって転動輪を浮上させて移動規制状態としてなる移動式間仕切装置であって、コーナー部を越えて先行して整列させる移動パネルの後端に予め化粧ポストを取付けてあり、該移動パネルを整列させた際に前記化粧ポストがガイドレールのコーナー部に位置し、該化粧ポストは、断面略四角形の長尺部材であり、一面は前記移動パネルの後端に取付ける取付部となっており、他の３面のうち一側面には後続の移動パネルの前端を凹凸係合する接合部を設け、他の二側面は平面となっており、前記接合部には、幅方向中央部で上下全長にわたり縦溝を形成し、その両側に当接縁を形成し、更に当該化粧ポストの上下端から出没する係合ピンを設けるとともに、該係合ピンの操作部を前記縦溝の底面部に設けたことを特徴とする移動式間仕切装置を構成した（請求項１）。
【０００８】
ここで、前記上下の係合ピンは、前記化粧ポストの中心部に設け、当該化粧ポストをガイドレールのコーナー部に位置させた際に、下方の係合ピンを床面の係合穴に嵌挿し、上方の係合ピンをガイドレールのコーナー部に係合してなることが好ましい（請求項２）。
【０００９】
そして、前記ガイドレールは、上板の両側縁部に下設した両垂下板を下設し、該両垂下板の下端に内向きに対向状態で一対の摺動片を全長にわたって形成した長尺部材であり、コーナー部は二つの直線状部材を４５°に切断して突き合わせて形成し、前記上方の係合ピンを両摺動片間の溝部に係合してなることが好ましい（請求項３）。
【００１０】
また、本発明は、複数の移動パネルを整列させて大部屋を小部屋に区画するための移動式間仕切装置に用いる移動パネルであって、特定の移動パネルの一側端に、他の移動パネルの側端を接合する接合部を設けた化粧ポストを取付けてあり、該化粧ポストは、断面略四角形の長尺部材であり、一面は特定の移動パネルの一側端に取付ける取付部となっており、他の３面のうち一側面には他の移動パネルの側端を凹凸係合する接合部を設け、他の二側面は平面となっており、前記接合部には、幅方向中央部で上下全長にわたり縦溝を形成し、その両側に当接縁を形成し、更に当該化粧ポストの上下端から出没する係合ピンを設けるとともに、該係合ピンの操作部を前記縦溝の底面部に設けたことを特徴とする移動パネルを構成した（請求項４）。
【発明の効果】
【００１１】
以上にしてなる請求項１に係る発明の移動式間仕切装置によれば、移動パネルの下端部に設けた転動輪で床面上を走行するとともに、移動パネルの上端部に設けたガイドローラを天井に設けたガイドレールに沿って移動案内し、複数の移動パネルをガイドレールに沿ってＬ字状あるいはＴ字状に整列させるとともに、下部に設けたリフト機構によって転動輪を浮上させて移動規制状態としてなる移動式間仕切装置であって、コーナー部を越えて先行して整列させる移動パネルの後端に予め化粧ポストを取付けてあり、該移動パネルを整列させた際に前記化粧ポストがガイドレールのコーナー部に位置し、該化粧ポストは、断面略四角形の長尺部材であり、一面は前記移動パネルの後端に取付ける取付部となっており、他の３面のうち一側面には後続の移動パネルの前端を凹凸係合する接合部を設け、他の二側面は平面となっており、前記接合部には、幅方向中央部で上下全長にわたり縦溝を形成し、その両側に当接縁を形成し、更に当該化粧ポストの上下端から出没する係合ピンを設けるとともに、該係合ピンの操作部を前記縦溝の底面部に設けたので、順番どおりに各移動パネルをガイドレールに沿って移動させ、先行の移動パネルの後端に突き合わせてリフト機構によって転動輪を浮上させて移動規制状態に整列させると、コーナー部に隣接する先行の移動パネルの後端に予め取付けた化粧ポストがコーナー部に位置し、該化粧ポストの接合部に後続の移動パネルの前端を接合して移動規制状態にするといった簡単な作業で複数の移動パネルを用いてＬ字状あるいはＴ字状に区画することができ、コーナー部に化粧ポストが位置するので、外観性にも優れたものとなる。
【００１２】
請求項２によれば、前記上下の係合ピンは、前記化粧ポストの中心部に設け、当該化粧ポストをガイドレールのコーナー部に位置させた際に、下方の係合ピンを床面の係合穴に嵌挿し、上方の係合ピンをガイドレールのコーナー部に係合してなるので、化粧ポストを安定に保持することができ、側方からの衝撃によっても係合ピンを中心とした回転力が生じず、コーナー部に位置させた化粧ポストは側方からの外力に対して強固であるので、該化粧ポストの接合部に後続の移動パネルの前端を衝突させてリフト機構によって転動輪を浮上させて移動規制状態とする場合にも安定であり、先行の移動パネルにも無理な外力が作用しないのである。
【００１３】
請求項３によれば、前記ガイドレールは、上板の両側縁部に下設した両垂下板を下設し、該両垂下板の下端に内向きに対向状態で一対の摺動片を全長にわたって形成した長尺部材であり、コーナー部は二つの直線状部材を４５°に切断して突き合わせて形成し、前記上方の係合ピンを両摺動片間の溝部に係合してなるので、上方の係合ピンがガイドレールのコーナー部に係合した状態では、後続の移動パネルの衝突による側方からの衝撃力が化粧ポストに作用しても係合ピンが外側の摺動片で当止されるので、化粧ポストが移動することがない。
【００１４】
請求項４によれば、複数の移動パネルを整列させて大部屋を小部屋に区画するための移動式間仕切装置に用いる移動パネルであって、特定の移動パネルの一側端に、他の移動パネルの側端を接合する接合部を設けた化粧ポストを取付けてあり、該化粧ポストは、断面略四角形の長尺部材であり、一面は特定の移動パネルの一側端に取付ける取付部となっており、他の３面のうち一側面には他の移動パネルの側端を凹凸係合する接合部を設け、他の二側面は平面となっており、前記接合部には、幅方向中央部で上下全長にわたり縦溝を形成し、その両側に当接縁を形成し、更に当該化粧ポストの上下端から出没する係合ピンを設けるとともに、該係合ピンの操作部を前記縦溝の底面部に設けたので、当該化粧ポストを取付けた移動パネルをＬ字状、Ｔ字状、十字状に整列させる際のコーナー部と隣接する位置に用いることにより、他の移動パネルを化粧ポストの接合部に接合することで、外観性に優れたコーナー部を形成できる。
【図面の簡単な説明】
【００１５】
【図１】移動式間仕切装置の動作原理を説明するための簡略平面図であり、（ａ）は移動パネルをＬ字状に整列させて室内空間を閉止した状態、（ｂ）は各移動パネルを一側に集めて格納し、室内空間を全開した状態をそれぞれ示している。
【図２】移動パネルを直列に整列させて室内空間を閉止した状態の簡略正面図である。
【図３】本発明の移動式間仕切装置の部分斜視図である。
【図４】パネル本体の分解斜視図である。
【図５】ガイドレールと連係部材の関係を示す部分分解斜視図である。
【図６】本発明に係る移動パネルの移動可能状態における簡略正面図である。
【図７】ガイドレールの直列保持部に移動パネルが位置し、移動可能状態を示す縦断面図である。
【図８】ガイドレールの直列保持部に移動パネルが位置し、移動規制状態を示す簡略正面図である。
【図９】ガイドレールの直列保持部に移動パネルが位置し、移動規制状態を示す縦断面図である。
【図１０】直列に整列した移動パネルの壁面側部分の横断面図である。
【図１１】移動パネル下端部に設けたリフト機構の分解斜視図である。
【図１２】移動パネル下端部に設けたリフト機構を示し、（ａ）は巾木部材が上昇した移動可能状態の部分縦断面図、（ｂ）は巾木部材が下降して床面に圧接した移動規制状態を示す部分縦断面図である。
【図１３】リフト機構の部分拡大断面図である。
【図１４】同じくリフト機構を構成する案内部材の変形例を示す部分拡大断面図である。
【図１５】ガイドレールのコーナー部に位置した化粧ポストに後続の移動パネルの前端を接合する状態を示した部分断面図である。
【図１６】化粧ポストを後端に取付けた移動パネルの部分平面図である。
【図１７】ガイドレールのコーナー部を示す部分底面図である。
【図１８】ガイドレールのコーナー部に位置した化粧ポストに後続の移動パネルの前端を接合した状態を示した部分断面図である。
【図１９】化粧ポストの分解斜視図である。
【図２０】ドアパネルを閉じた状態を示す横断面図である。
【図２１】端部に位置する移動パネルに設けたドア枠とドアパネルとの関係を示す分解斜視図である。
【発明を実施するための形態】
【００１６】
次に、添付図面に示した実施形態に基づき、本発明を更に詳細に説明する。図１〜図３は本発明に係る移動式間仕切装置の動作原理を説明するための説明図、図４は移動パネルの分解斜視図、図５は上部構造を示す分解斜視図、図６〜図１４はその詳細を示し、図中符号１は移動パネル、２は転動輪、３はガイドローラ、４はガイドレール、５はリフト機構、６はドアパネル、７は連係部材、８は自由連結手段、Ｆは床面、Ｓは天井、Ｗは壁面をそれぞれ示している。
【００１７】
本発明に係る移動式間仕切装置は、図１〜図６に示すように、移動パネル１の下端部に設けた転動輪２で床面Ｆ上を走行するとともに、移動パネル１の上端部に設けたガイドローラ３，３を天井Ｓに設けたガイドレール４に沿って移動案内し、複数の移動パネル１，…をガイドレール４に沿って列設させ、またガイドレール４の一側終端部に重ねて格納し、天井Ｓから床面Ｆにわたる全面を閉止可能又は開放可能となした下荷重方式の構造のものである。そして、本実施形態では、複数の移動パネル１，…をガイドレール４に沿って列設させた状態では、該移動パネル１の移動を規制するため、下端部に設けたリフト機構５を操作して該移動パネル１を上昇させ、もって前記転動輪２，…を床面Ｆから浮上させるのである。
【００１８】
更に詳しくは、本実施形態では、前記ガイドローラ３は移動パネル１の両端部上位に一対設けられ、端部に位置する前記移動パネル１と壁面Ｗとの間に、各移動パネル１，…を９０度回転して向きを変えるための空間と、通路となる空間を確保するために、ドアパネル６を設けている。そして、前記ドアパネル６は、壁面Ｗに蝶着されている。前記ガイドレール４は、大部屋を小部屋に区画するための間取りに応じて予め天井に固定されており、前記ドアパネル６の近傍で前記移動パネル１，…を格納するための格納空間部は分岐構造となっている。つまり、ガイドレール本線部４Ａと平行にガイドレール副線部４Ｂを設けるとともに、前記ガイドレール本線部４Ａから分岐し前記ガイドレール副線部４Ｂの一端に連続するガイドレール分岐部４Ｃとを有している。前記ガイドレール本線部４Ａとガイドレール副線部４Ｂの中心間隔は、前記移動パネル１の両端部に設けたガイドローラ３，３の回転軸芯間隔と略一致させている。そして、前記ガイドレール本線部４Ａの端部に直角に他のガイドレール本線部４Ｄを延設している。図中４Ｅはガイドレール４のコーナー部を示している。
【００１９】
そして、所定位置まで移動パネル１を移動させて直列に配置して前記リフト機構５にて転動輪２，…を浮上させて移動不能とした状態で、この状態を確実に維持するために、移動方向後側の下端部に後述のストッパーを設け、床面Ｆに係止するようにしている。
【００２０】
本発明は、移動パネル１の下端部に設けた転動輪２，…で床面Ｆ上を走行するとともに、移動パネル１の上端部に設けたガイドローラ３，３を天井Ｓに設けたガイドレール４に沿って移動案内し、複数の移動パネル１，…をガイドレール４に沿ってＬ字状あるいはＴ字状に整列させるとともに、下部に設けたリフト機構５によって転動輪２，…を浮上させて移動規制状態としてなる移動式間仕切装置であって、コーナー部４Ｅを越えて先行して整列させる移動パネル１の後端に予め化粧ポスト１００を取付けてあり、該移動パネル１を整列させた際に前記化粧ポスト１００がガイドレール４のコーナー部４Ｅに位置し、該化粧ポスト１００の側面には後続の移動パネル１の前端を凹凸係合する接合部１０１を設けたものである。
【００２１】
前記移動パネル１は、パネル本体９の下端に前記転動輪２，…とリフト機構５を設け、上端に連係部材７を自由連結手段８にて弾性的に揺動可能且つ昇降可能に連結し、該連係部材７の両端部上位にそれぞれガイドローラ３，３を設け、更に両端面に硬質ゴム製若しくは合成樹脂製のパッキン１０，１０を取付けて構成している。ここで、前記パネル本体９は、本実施形態では、アルミ押出し型材からなる両側縦枠１１，１１と上枠１２と下枠１３及び横桟１４でフレーム構成し、それらで半透明のアクリル樹脂製のパネル板１５，１５を保持した構造である。本発明に係る移動パネル１は、天井Ｓから床面Ｆにわたって閉止するものであるから、実際には縦長の長方形の形状である。
【００２２】
前記縦枠１１は、扁平な中空形状部材であり、一側面の中央に沿って前記パネル板１５を保持する溝部１６を形成するとともに、他側面の両側部に沿って断面Ｌ字形の一対の係止片１７，１７を突設している。ここで、前記両係止片１７，１７の先端部の屈曲部は互いに対向するように向け、該係止片１７，１７に前記パッキン１０を嵌着するとともに、ストッパー７７を上下スライド可能に係合している。前記上枠１２と下枠１３は同一の型材であり、前記縦枠１１と同様な扁平中空状の補強杆１８の両側に垂直板１９，１９を形成し、内部に凹溝部２０を形成したものであり、前記補強杆１８の外側面には前記パネル板１５を保持する溝部２１を形成し、更に前記垂直板１９，１９の凹溝部２０内に面する先端部に係合溝２２，２２をそれぞれ形成している。また、前記横桟１４は、上下に扁平な中空形状部材であり、上下面の中央に沿って前記パネル板１５を保持する溝部２３，２３を形成したものである。
【００２３】
前記パネル本体９は、前記縦枠１１の上下端部の内側面に、前記上枠１２と下枠１３の端部を突き合わせた状態でＬ金具２４を用いて連結するとともに、両縦枠１１，１１の上下中間部に前記横桟１４の端部を突き合わせてネジ止め等の適宜な手段で連結し、これら部材の溝部１６，１８，２３に前記パネル板１５の縁部を、パッキンを介して保持している。ここで、前記縦枠１１の上下端部の内側面であって、前記上枠１２及び下枠１３の端部を突き合わせる位置を切欠するとともに、上下端部の外側面であって、前記上枠１２及び下枠１３の凹溝部２０の内部に対応する位置で、前記両係止片１７，１７の外側位置に縦長のスリット溝２５，２５を端部に開放して形成している。
【００２４】
そして、前記ガイドレール４は、図３〜図５に示すように、上板２６の両側縁部に下設した両垂下板２７，２７を下設し、該両垂下板２７，２７の下端に内向きに対向状態で一対の摺動片２８，２８を全長にわたって形成した長尺部材である。ここで、前記ガイドレール４の垂下板２７の上下幅は、前記摺動片２８，２８の上位に前記ガイドローラ３の回転部分が収容できる程度で済むので、ガイドレール４の上下寸法を小さくすることが可能である。また、前記ガイドレール４の上板２６は、前記垂下板２７よりも若干側方へ延び、強度が高い形状となっている。
【００２５】
また、図３〜図７に示すように、前記移動パネル１の上枠１２の凹溝部２０内に連係部材７を遊嵌し、中央部で前記上枠１２と前記連係部材７とを自由連結手段８にて弾性的に揺動可能且つ昇降可能に連結するとともに、前記連係部材７の両端部上位に垂直な回転軸を有するガイドローラ３を設けている。更に詳しくは、前記連係部材７は、水平板２９の両側縁に垂直板３０，３０を垂下し、下向きに開放した断面略コ字形の部材であり、長さは移動パネル１の全幅と略同じである。また、前記連係部材７の垂直板３０，３０の間隔は、前記ガイドレール４の垂下板２７，２７の間隔と一致させている。尚、前記連係部材７を前記上枠１２の凹溝部２０内に遊嵌した状態では、両垂直板３０，３０が、前記縦枠１１の上端部のスリット溝２５，２５に受け入れられる。
【００２６】
前記自由連結手段８は、上端部を前記連係部材７の水平板２９に固定した支軸３１を前記移動パネル１の上枠１２の凹溝部２０内の底面に固定した保持台３２に上下スライド可能に設けるとともに、前記支軸３１の下端の係止環３３と保持台３２の上面板３４との間に圧縮コイルばね３５を介装し、前記支軸３１の上昇に対して下向きに弾性付勢したものである。本実施形態で、前記支軸３１の上端に取付板３６を固定し、前記連係部材７の水平板２９の下面に該取付板３６を密接し、水平板２９の上面に配した連結板３７と該水平板２９を貫通させたネジ３８，３８を前記取付板３６に螺合して取付けている。
【００２７】
そして、前記ガイドローラ３の回転軸３９の下端を固定板４０に固定し、前記連係部材７の水平板２９の両端部に開放した切欠溝４１，４１を形成し、前記固定板４０を水平板２９の下面に配置するとともに、前記回転軸３９を前記切欠溝４１に受け入れ、前記水平板２９を貫通したネジ４２，４２を前記固定板４０に螺合して取付ける。尚、前記ガイドローラ３の代わりにガイドスライダーを用いることも可能であるが、移動パネル１をスムーズに移動するには、ガイドローラ３を用いることが好ましい。
【００２８】
更に、前記連係部材７の水平板２９の上面両側縁に沿って係合溝４３，４３を形成し、該係合溝４３，４３に可撓性を有する接触部材４４，４４を突設し、該接触部材４４，４４を前記ガイドレール４の摺動片２８，２８の下面に常に当接するようにして、ガイドレール４と連係部材７の間の隙間を塞いでいる。ここで、前記接触部材４４は、ブラシやスポンジのようなもので構成することができる。また、図７に示すように、前記上枠１２の両垂直板１９，１９に形成した係合溝２２，２２に、前記接触部材４４と同様の接触部材４５，４５を嵌着し、該接触部材４５，４５が前記ガイドレール４の両垂下板２７，２７の外面に摺接して、前記移動パネル１の移動がスムーズに行えるようにするとともに、隙間を塞いで区画室の機密性、防音性を高めている。
【００２９】
図１に示すように、格納状態にある移動パネル１の一方のガイドローラ３はガイドレール本線部４Ａに位置し、他方のガイドローラ３はガイドレール副線部４Ｂに位置している。その状態から大部屋を区画するためにガイドレール４に沿って引き出すには、先ず移動パネル１をガイドレール本線部４Ａとガイドレール副線部４Ｂを共に平行移動させ、一方のガイドローラ３を直線上に移動させながら、他方のガイドローラ３をガイドレール分岐部４Ｃで直角に方向を変えてガイドレール本線部４Ａの方向へ移動パネル１を回転させながら移動させ、他方のガイドローラ３もガイドレール本線部４Ａに至ると、移動パネル１をガイドレール４に沿って移動させることができる。この操作を順次行い、全ての移動パネル１，…をガイドレール４に沿って整列させた後、前記ドアパネル６を閉止すれば、区画作業は完成する。区画を開放する場合には、上述の逆の手順で移動パネル１，…を格納する。尚、前記ガイドローラ３の位置が目視できない場合のために、各移動パネル１の上枠１２の両垂直板１９，１９の外面に三角マーク等の目印を付けておくことにより、各ガイドローラ３が分岐点や屈曲点に位置したことが容易に分かり、移動作業をスムーズに行える。
【００３０】
本実施形態では、前記ドアパネル６は壁面Ｗに設けた端部部材４６にヒンジ４７にて回動可能に連結している。尚、前記ドアパネル６は、端部に位置する移動パネル１に蝶着することも可能である。
【００３１】
そして、所定位置に移動させた移動パネル１の姿勢を安定に維持するために、各移動パネル１の下端に設けたリフト機構５を操作して床面Ｆに圧接し、前記転動輪２を床面Ｆから浮上させる。図６及び図７は移動パネル１が移動可能な状態（移動可能状態）、図８及び図９は移動パネル１を前記リフト機構５によって浮上させた移動不能な状態（移動規制状態）をそれぞれ示している。前記リフト機構５によってパネル本体９を上昇させた場合でも、前記連係部材７は変位せず、上枠１２の凹溝部２０内に嵌合する深さが変化するだけであるので、上部の外観性が統一される。このように、パネル本体９の変位は上枠１２の凹溝部２０と連係部材７との嵌合関係と、前記自由連結手段８によって吸収されるのである。
【００３２】
次に、図６〜図９、図１１〜図１４に基づいて前記リフト機構５の実施形態を説明する。尚、本実施形態では、前記転動輪２，…を含めてユニット化し、そのユニットを前記下枠１３の凹溝部２０内に装着するようになっている。前記ユニットは、前記下枠１３の凹溝部２０内に配置する下向き開放の断面略コ字形の載荷部材４８と、上方開放の断面略コ字形の巾木部材４９を備え、前記載荷部材４８の凹溝５０内の両端部と中央部に固定した転動輪２，…を有している。前記載荷部材４８は、巾木部材４９の凹溝内に内挿し得る横幅であり、該巾木部材４９の下面５１には前記転動輪２，…を貫通する開口５２，…を形成している。そして、前記載荷部材４８の左右両側端部に、傾斜案内面５４を形成した案内部材５３を取付けるとともに、前記巾木部材４９の上面側に前記傾斜案内面５４を下方から受けて転動するローラ５５，５５を支持部材５６に水平な回転軸５７にて回動可能に設け、更に前記載荷部材４８と巾木部材４９の間に互いに接近する方向に弾性付勢するための引張りコイルばね５８を係着している。そして、前記載荷部材４８を前記下枠１３の凹溝部２０内に取付けた状態では、前記転動輪２，…がパネル本体９の下端より突出するようになっている。
【００３３】
更に詳しくは、前記案内部材５３は、合成樹脂製又はアルミダイカスト製のブロック状の部材であり、中央部に表裏に貫通した傾斜孔５９を形成し、該傾斜孔５９の上縁部を前記傾斜案内面５４とし、該傾斜孔５９の下縁部を規制部６０としている。前記支持部材５６はコ字形に金属板を折曲したものであり、両立起板６２，６２の間に一対のローラ５５，５５を配して前記回転軸５７で保持している。そして、前記回転軸５７を前記案内部材５３の傾斜孔５９に貫通し、両ローラ５５，５５の間に前記規制部６０を挟みこんで位置決めし、両ローラ５５，５５が前記傾斜案内面５４に接触して転動するようにしている。また、前記巾木部材４９に不意に下方への力が加わっても前記回転軸５７が規制部６０に当接することにより、それ以上の巾木部材４９の下方変位を制限することができる。
【００３４】
そして、前記案内部材５３の傾斜案内面５４は、最上部と最下部とに前記ローラ５５を準安定状態に係合する凹部６３，６３を形成し、その間を滑らかな傾斜曲面で連続させた形状である。そして、前記引張りコイルばね５８は、前記ローラ５５が最上部の凹部６３に係合するように前記巾木部材４９を斜め上方に弾性付勢している。具体的には、前記巾木部材４９の下面５１に固定した係止片６４と、前記案内部材５３の一端部に形成した係止部６５とに引張りコイルばね５８を傾斜させて両端を係止している。ここで、前記巾木部材４９が無負荷状態では、前記引張りコイルばね５８の弾性付勢力によって上昇し、前記傾斜案内面５４の最上部の凹部６３に前記ローラ５５が係合するとともに、移動パネル１の移動方向前側の側端から前記巾木部材４９の一端部が側方へ突出するように設定されている。前記案内部材５３の一端部には、前記転動輪２としてキャスターを取付けるための台座部６６が形成され、両端部の転動輪２，２は案内部材５３を介して前記載荷部材４８に固定され、中央部の転動輪２は前記台座部６６と同高の取付金具６７にて固定されている。
【００３５】
また、図１４は、前記案内部材５３の変形例であり、前記傾斜孔５９の上縁に沿って表裏の傾斜案内面５４，５４の間に、前記規制部６０と同一幅の突条部６１を形成している。この場合、前記規制部６０と突条部６１の間は、前記回転軸５７が通過するのに最小限の間隔になっている。
【００３６】
前述のように、前記リフト機構５は、前記パネル本体９の下端に沿って設けた下方開放した凹溝部２０内に載荷部材４８と巾木部材４９を上下に配置し、該載荷部材４８の少なくとも両端部に転動輪２，２を設け、前記巾木部材４９を載荷部材４８に対して昇降することにより、前記転動輪２，…が床面Ｆに接地した移動可能状態と前記巾木部材４９が床面Ｆに圧接した移動規制状態とを実現するものである。そして、本実施形態では、前記載荷部材４８をパネル本体９の凹溝部２０内に取付ける構造に特徴がある。つまり、本発明は、前記載荷部材４８の中央部上面を弾性変形可能又は回動可能な連結部材６８を介在させて前記凹溝部２０内の上面に上下揺動可能に連結することを特徴としている。更に、前記移動パネル１を直線状に整列させる際に移動方向の後側になる一端部で前記載荷部材４８の上面と凹溝部２０内の上面との間に圧縮ばね６９を介装すればより好ましいのである。
【００３７】
具体的には、前記リフト機構５は、前記巾木部材４９が上昇して前記転動輪２，…が床面Ｆに接地した移動可能状態では、該巾木部材４９の一端の先端部がパネル本体９の側端面から突出し、移動パネル１を直線状に整列させる際に前記巾木部材４９の突出した先端部が他の物に当接した際の反力により該巾木部材４９が下降して床面Ｆに圧接した移動規制状態では、該巾木部材４９がパネル本体９の直下に位置する機構であり、前記圧縮ばね６９は、移動可能状態で前記巾木部材４９の先端部が突出する側とは反対側の端部に設けている。更に、前記載荷部材４８の両端部の上面に、該載荷部材４８が前記連結部材６８を中心として上下揺動する際の最大変位を規制する当止部７０，７０を突設するとともに、一方の当止部７０にコイルばねからなる前記圧縮ばね６９を巻装している。ここで、前記当止部７０は、前記案内部材５３の上部に一体形成し、前記載荷部材４８の上面に形成した孔７１から上方へ突出させている。
【００３８】
また、前記連結部材６８として防振ゴムを用い、該防振ゴムを介して前記載荷部材４８の上面とパネル本体９の凹溝部２０の上面との間に空間を形成して連結している。前記連結部材６８は、ゴム製の本体部７２の上下面に金属製の取付板７３，７３を強固に固定した構造であり、各取付板７３，７３を前記載荷部材４８の上面とパネル本体９の凹溝部２０の上面にネジ止めして取付けている。前記連結部材６８は弾性変形可能であるので、パネル本体９は載荷部材４８に対して上下揺動可能となり、またパネル本体９の一端部は前記圧縮ばね６９によって上方へ弾性付勢されている。尚、前記連結部材６８として、回動可能なヒンジを用いても良い。ここで、床面Ｆの不陸に応じて前記載荷部材４８及び巾木部材４９が傾斜して、前記パネル本体９を垂直姿勢にするが、そのために必要な最小限の揺動を許容し、また前記移動パネル１の移動中における不必要な揺動を制限するように、前記当止部７０の高さは設定されている。
【００３９】
そして、図１２（ａ）に示すように、前記巾木部材４９が上昇した状態では、該巾木部材４９は前記下枠１３の凹溝部２０に収まり、その両立上板７４，７４は前記縦枠１１のスリット溝２５，２５内に位置している。また、前記巾木部材４９の突出端部には、端部形状が前記パッキン１０の外形と同じ硬質合成樹脂製の当接部材７５を設けている。また、前記下枠１３の垂直板１９，１９の下端内面の係合溝２２，２２には、前記巾木部材４９の外面に摺接する接触部材７６，７６を設け、表裏方向のガタツキを防止している。
【００４０】
そして、前記移動パネル１を前記ガイドレール４に沿って移動させ、壁面Ｗ又は先行する他の移動パネル１の側端に前記巾木部材４９の突出部の当接部材７５を衝突させると、その衝撃力によって相対的にパネル本体９の下方に前記巾木部材４９が押し込まれるような横方向の外力が加わる。実際には、前記巾木部材４９が当止されて移動規制されるが、パネル本体９の慣性力によって相対的な横方向の外力が作用するのである。それにより、前記ローラ５５が前記傾斜案内面５４を下方へ転動するのに従って前記巾木部材４９が下降し、該巾木部材４９が床面Ｆに接触した後には、前記ローラ５５の上に前記傾斜案内面５４が競り上がりパネル本体９を上昇させ、ついには最下部の凹部６３がローラ５５に係合する位置まで来ると、前記巾木部材４９はパネル本体９の直下に位置するようになる。結果的に、前記転動輪２，…は浮上し、巾木部材４９が床面Ｆに圧接して移動規制状態となるのである（図１２（ｂ）参照）。
【００４１】
ここで、前記巾木部材４９が床面Ｆに圧接し、パネル本体９の直下に位置した移動規制状態では、前記ローラ５５が前記傾斜案内面５４の最下部の凹部６３に準安定状態で係合しているのみであり、しかも前記引張りコイルばね５８の弾性付勢力はパネル本体９を後退させる方向に作用し、つまり前記凹部６３がローラ５５から外れる方向に作用するので、安定とは言い難い。
【００４２】
そこで、図１０に示すように、隣接する移動パネル１，１の側端のパッキン１０，１０同士が凹凸嵌合するように、該パッキン１０の断面形状を工夫するとともに、移動パネル１の移動方向後側の下端部に前記床面Ｆに係止するストッパー７７を設けている。ここで、前記パッキン１０は、中心線で対称形であり、表側の凹凸と裏側の凹凸が互いに係合する形状としている。従って、移動パネル１の左右両側に取付けるパッキン１０，１０は同じ向きにして、前記縦枠１１の両係止片１７，１７に上下スライド係合させて装着する。
【００４３】
前記ストッパー７７は、図３〜図６に示すように、横断面形状が前記パッキン１０の外形断面形状と同じである硬質合成樹脂製の本体部７８の下端に金属製のピン７９を突設し、前記本体部７８の両側に形成した縦溝８０，８０を前記縦枠１１の一対の係止片１７，１７の先端屈曲部にスライド可能に係合し、該本体部７８を下降させて前記ピン７９を前記床面Ｆの所定位置に予め形成しておいた係合穴８１に落とし込み係合する構造である。ここで、前記ストッパー７７を設ける位置は、前記パッキン１０の下端を短くして確保し、該ストッパー７７を上昇させた状態では、前記パッキン１０に当接して外観が一体となる。また、前記ストッパー７７は、前記縦溝８０，８０と係止片１７，１７の先端屈曲部との摩擦力によって、自重では下降しないようにしている。また、前記ストッパー７７の本体部７８の外側面で上下中間部には、指を掛けるための凹陥部８２を形成し、操作性を良くしている。
【００４４】
尚、先行して直列に並んだ移動パネル１の前記ストッパー７７の本体部７８は、後続の移動パネル１の前記巾木部材４９の先端部の当接部材７５が衝突するとともに、前記本体部７８に当接部材７５が当接したまま下方へ変位するが、何れも硬質合成樹脂製で形成しているので摺動性に優れているため、スムーズな摺動動作を実現できるのである。
【００４５】
そして、前記巾木部材４９が床面Ｆに圧接して前記転動輪２，…が浮き上がった状態（移動規制状態）から、移動パネル１をガイドレール４に沿って移動させて格納する場合には、先ず前記ストッパー７７を上昇させてピン７９を床面Ｆの係合穴８１から抜き、パネル本体９の側部を持って引くことにより、最下部の凹部６３とローラ５５との係合が外れ、前記パネル本体９の重量によって該パネル本体９が下降して前記転動輪２，…が床面Ｆに接地するとともに、引張りコイルばね５８の弾性付勢力によって巾木部材４９が上昇して移動可能状態となるのである。
【００４６】
次に、図１５〜図１９に基づいて本発明を更に詳しく説明する。本実施形態では、複数の引用文献小津パネル１，…をＬ字状に整列させて大部屋を区画する例を示す。従って、図１７に示すように、ガイドレール４は平面視Ｌ字状に構成されている。二つのガイドレール４，４の端部を４５°に切断して突き合わせてコーナー部４Ｅを形成している。前記化粧ポスト１００は、断面略四角形の長尺部材であり、一面は前記移動パネル１の後端、即ち移動方向に対して反対側の縦枠１１に取付ける取付部１０２となっており、他の３面のうち一側面には後続の移動パネル１の前端のパッキン１０を凹凸係合する接合部１０１を設け、他の二側面は平面１０３となっている。
【００４７】
前記化粧ポスト１００の接合部１０１には、幅方向中央部で上下全長にわたり縦溝１０４を形成し、その両側に当接縁１０５，１０５を形成してなり、当該化粧ポスト１００の上下端から出没する係合ピン１０６，１０７を設けるとともに、該係合ピン１０６，１０７の操作部１０８，１０９を前記縦溝１０４の底面部に設け、当該化粧ポスト１００をガイドレール４のコーナー部４Ｅに位置させた際に、下方の係合ピン１０７を床面Ｆの係合穴８１に嵌挿し、上方の係合ピン１０６を図１７のようにガイドレール４のコーナー部４Ｅに係合する。
【００４８】
前記化粧ポスト１００を取付けた移動パネル１の連係部材７は、図１６に示すように上枠１２の凹溝部２０の一端部から化粧ポスト１００の上部を覆うように延設している。具体的には、前記連係部材７の型材の端部を４５°に切断し、切断縁を突き合わせた状態で固定したものである。ここで、前記上方の係合ピン１０６が貫通する円孔１１０を前記連係部材７のコーナー部に対応する位置に設けている。
【００４９】
そして、図１８に示すように、先行する移動パネル１を前記ガイドレール４のコーナー部４Ｅを越えて移動させ、順次先行の移動パネル１の後端に衝突させ、リフト機構５によって転動輪２，…を浮上させて移動規制状態にし、後端部のストッパー７７を下降させてピン７９を床面Ｆの係合穴８１に係合する。前記コーナー部４Ｅに隣接する移動パネル１を所定位置に移動規制状態とすると、その後端に取付けてある化粧ポスト１００はコーナー部４Ｅに自動的に位置し、前記縦溝１０４内で前記操作部１０８，１０９を操作して、下方の係合ピン１０７を床面Ｆの係合穴８１に嵌挿し、上方の係合ピン１０６をコーナー部４Ｅの両摺動片２８，２８間の溝部に係合する。この状態で、化粧ポスト１００の接合部１０１に、後続の移動パネル１の前端が衝突しても、該化粧ポスト１００は外側へ移動することがない。従って、他の直線状に整列させる移動パネル１と同じように、化粧ポスト１００の接合部１０１に衝突させて、リフト機構５を作動させて転動輪２，…を浮上させて移動規制状態にすることができる。尚、Ｔ字状に整列させる場合には、前記化粧ポスト１００の二側面に接合部１０１，１０１を形成すれば良い。また、十字状に整列させることも可能であるが、格納箇所を複数設ける必要がある。
【００５０】
最後に、図２０及び図２１に基づいて前記ドアパネル６の構造を説明する。前記ドアパネル６は、前記移動パネル１と同様に両側縦枠１１，１１と上枠１２と下枠１３及び横桟１４でフレーム構成するとともに、遊端側の縦枠１１の内側に沿って側枠体１１１を連結して補強し、該側枠体１１１と反対側の縦枠１１との上下中間位置に横桟１４を渡設し、それらで半透明のアクリル樹脂製のパネル板１５，１５を保持した構造である。前記側枠体１１１は、断面長方形の管部１１２の内側で表裏両側に引手片１１３，１１３を一体形成している。前記側枠体１１１をドアパネル６の遊端側に設けることにより、剛性を付与することができ、自重で撓むことがない。
【００５１】
前記ドアパネル６の遊端側の縦枠１１の外側には戸当り枠１１４を取付け、該戸当り枠１１４から、縦枠１１及び側枠体１１１の内部に連通する空間を設けて施錠具１１５を取付けている。また、前記ドアパネル６に隣接する移動パネル１の後端には、前記化粧ポスト１００と同様に、ドア枠１１６を予め取付けておくことができる。このドア枠１１６は、前記戸当り枠１１４を当止し、施錠具１１５で施錠できるようにしている。また、ドア枠１１６の内部には上下端から出没する係合ピン１１７，１１８を設け、上下中間位置には、係合ピン１１７，１１８をそれぞれ操作する操作部１１９，１２０を設け、また施錠具１１５の受部１２１も設けている。下方の係合ピン１１８は、前記同様に床面Ｆに設けた係合穴８１に係合し、上方の係合ピン１１７はガイドレール４の両摺動片２８，２８間の溝部に係合する。
【符号の説明】
【００５２】
Ｆ  床面、              Ｓ  天井、
Ｗ  壁面、
１  移動パネル、        ２  転動輪、
３  ガイドローラ、      ４  ガイドレール、
４Ａ  ガイドレール本線部、
４Ｂ  ガイドレール副線部、
４Ｃ  ガイドレール分岐部、
４Ｄ  ガイドレール本線部、
４Ｅ  コーナー部、
５  リフト機構、        ６  ドアパネル、
７  連係部材、          ８  自由連結手段、
９  パネル本体、        １０  パッキン、
１１  縦枠、            １２  上枠、
１３  下枠、            １４  横桟、
１５  パネル板、        １６  溝部、
１７  係止片、          １８  補強杆、
１９  垂直板、          ２０  凹溝部、
２１  溝部、            ２２  係合溝、
２３  溝部、            ２４  Ｌ金具、
２５  スリット溝、      ２６  上板、
２７  垂下板、          ２８  摺動片、
２９  水平板、          ３０  垂直板、
３１  支軸、            ３２  保持台、
３３  係止環、          ３４  上面板、
３５  圧縮コイルばね、  ３６  取付板、
３７  連結板、          ３８  ネジ、
３９  回転軸、          ４０  固定板、
４１  切欠溝、          ４２  ネジ、
４３  係合溝、          ４４  接触部材、
４５  接触部材、        ４６  端部部材、
４７  ヒンジ、          ４８  載荷部材、
４９  巾木部材、        ５０  凹溝、
５１  下面、            ５２  開口、
５３  案内部材、        ５４  傾斜案内面、
５５  ローラ、          ５６  支持部材、
５７  回転軸、          ５８  引張りコイルばね、
５９  傾斜孔、          ６０  規制部、
６１  突条部、          ６２  立起板、
６３  凹部、            ６４  係止片、
６５  係止部、          ６６  台座部、
６７  取付金具、        ６８  連結部材、
６９  圧縮ばね、        ７０  当止部、
７１  孔、              ７２  本体部、
７３  取付板、          ７４  立上板、
７５  当接部材、        ７６  接触部材、
７７  ストッパー、      ７８  本体部、
７９  ピン、            ８０  縦溝、
８１  係合穴、          ８２  凹陥部、
１００化粧ポスト、      １０１  接合部、
１０２  取付部、        １０３  平面、
１０４  縦溝、          １０５  当接縁、
１０６  係合ピン、      １０６  係合ピン、
１０７  係合ピン、      １０８  操作部、
１０９  操作部、        １１０  円孔、
１１１  側枠体、        １１２  管部、
１１３  引手片、        １１４  戸当り枠、
１１５  施錠具、        １１６  ドア枠、
１１７  係合ピン、      １１８  係合ピン、
１１９  操作部、        １２０  操作部、
１２１  受部。
【図１】
0005633212.tif 000002
【図２】
0005633212.tif 000003
【図３】
0005633212.tif 000004
【図４】
0005633212.tif 000005
【図５】
0005633212.tif 000006
【図６】
0005633212.tif 000007
【図７】
0005633212.tif 000008
【図８】
0005633212.tif 000009
【図９】
0005633212.tif 000010
【図１０】
0005633212.tif 000011
【図１１】
0005633212.tif 000012
【図１２】
0005633212.tif 000013
【図１３】
0005633212.tif 000014
【図１４】
0005633212.tif 000015
【図１５】
0005633212.tif 000016
【図１６】
0005633212.tif 000017
【図１７】
0005633212.tif 000018
【図１８】
0005633212.tif 000019
【図１９】
0005633212.tif 000020
【図２０】
0005633212.tif 000021
【図２１】
0005633212.tif 000022